(57)【要約】【課題】薬剤を利用することなく、排水路および前記排水路の内部に装着されるストレーナの滑りの発生を長期間防止し、前記排水路および前記ストレーナの清掃の負担を減らし手間を省略する。【解決手段】ストレーナ７の開口部８の周縁部に対向する部分に、ストレーナ７の開口部８の周縁部に沿うように複数の第１通水孔２２を周方向に並列して形成し、各第１通水孔２２の形成位置よりも外周縁部分であってストレーナ７の鍔部９の配置位置に相当する部分に、周方向における各第１通水孔２２の形成位置の間に位置するように複数の第２通水孔２６を周方向に並列して形成する。【選択図】            図１
2004360311.tif 000002
【特許請求の範囲】
【請求項１】
内部に有底筒状とされ開口部の外周に周縁部を介して鍔部が形成されているストレーナが装着される排水路の開口部に、着脱可能に取り付けられる排水路用蓋において、
前記排水路の前記開口部に取り付けられている状態で、前記ストレーナの開口部の周縁部に対向する部分に、前記ストレーナの前記開口部の周縁部に沿うように複数の通水孔を形成したことを特徴とする排水路用蓋。
【請求項２】
内部に有底筒状とされ開口部の外周に周縁部を介して鍔部が形成されているストレーナが装着される排水路の開口部に、着脱可能に取り付けられる排水路用蓋において、
前記排水路の前記開口部に取り付けられている状態で、前記鍔部に相当する部分に、複数の通水孔を形成したことを特徴とする排水路用蓋。
【請求項３】
内部に有底筒状とされ開口部の外周に周縁部を介して鍔部が形成されているストレーナが装着される排水路の開口部に、着脱可能に取り付けられる排水路用蓋において、
前記排水路の前記開口部に取り付けられている状態で、前記ストレーナの前記開口部の周縁部に対向する部分に、前記ストレーナの前記開口部の周縁部に沿うように複数の第１通水孔を周方向に並列して形成し、
前記各第１通水孔の形成位置よりも外周縁部分であって前記鍔部の配置位置に相当する部分に、周方向における前記各第１通水孔の形成位置の間に位置するように複数の第２通水孔を周方向に並列して形成したことを特徴とする排水路用蓋。
【請求項４】
排水路の開口部に着脱可能に取り付けられる排水路用蓋において、
前記開口部に取り付けられている状態で、前記開口部の開口縁に相当する部分に、前記開口部の開口縁に沿うように複数の通水孔を形成したことを特徴とする排水路用蓋。
【発明の詳細な説明】
【０００１】
【発明の属する技術分野】
本発明は排水路用蓋に係り、特に排水路の開口部に取り付けられ、前記排水路への排水を妨げない排水路用蓋に関する。
【０００２】
【従来の技術】
従来より、例えば台所の流し台等の底面には、排水路が形成されており、前記排水路の内部には、前記流し台に流された野菜くず等のゴミを溜めて液体のみを前記排水路に流すための有底筒状とされ開口部の外周に周縁部を介して鍔部が形成されているストレーナが装着されている。このストレーナの外周壁の大部分は網目状に形成されている。また、前記排水路の開口部には、前記排水路への排水を妨げず、かつ前記ストレーナの内部が見えないように前記開口部を被覆するための排水路用蓋が取り付けられている。
【０００３】
このような排水路用蓋としては、ゴム等からなる円形状の基体と、前記基体の中心部から周縁部分に向かう放射状の切れ込みによって形成され周縁部分において相互に連結されている複数の舌片と、前記基体の周縁部に形成され前記排水路用蓋を前記排水路の開口部に取り付けるとき前記開口部の周縁部に形成されている段部に係止される鍔部とを有するいわゆる菊割状の排水路用蓋が多用されている。
【０００４】
前記排水路用蓋を前記排水路の開口部に取り付けた場合、前記流し台に流された水は、前記流し台の底面から前記排水路用蓋の周縁部分を介して前記各舌片に到達する。そして、前記水は、その圧力によって前記各舌片を前記ストレーナの内部方向に撓ませながら、前記切れ込みおよび前記排水路用蓋の中心部分から前記ストレーナを介して前記排水路の内部に流れ落ちていた。（特許文献１および特許文献２参照）
【０００５】
【特許文献１】
特開２０００−３５５９６４号公報（従来の技術）
【特許文献２】
特開２００１−０２０３４１号公報（従来の技術）
【０００６】
【発明が解決しようとする課題】
しかし、前記ストレーナには水だけでなく食材や、石けん、洗剤等の界面活性剤等が流れ込み、前記ストレーナに付着している細菌が前記食材等を栄養源として分泌物を分泌するので、前記ストレーナには、放っておくと短期間で前記分泌物による滑り（ぬめり）が発生してしまう。
【０００７】
前記ストレーナに滑りが発生してしまった場合、前記滑りを除去するためには、前記ストレーナをたわしやブラシ等で擦り洗いしなければならず、また滑りからは悪臭も発生する。このため、前記ストレーナの滑りを除去する清掃作業は、負担の大きい手間のかかる作業であった。
【０００８】
一方、前記ストレーナに発生してしまった滑りを除去するため、殺菌力を有する薬剤が収納された薬剤容器を前記ストレーナ内に吊し、または薬剤容器を前記排水路用蓋の鍔部の裏側に取り付けて、前記薬剤を前記ストレーナに付着させることにより、前記滑りを除去しその発生を防止する方法も実用化されている。
【０００９】
しかし、前述の滑りを除去するための薬剤については、酸化力が強力なために前記ストレーナや排水路を劣化、腐食させてしまうおそれがあるものもあった。また、前記薬剤を利用して滑りを除去する場合、前記薬剤が付着した箇所の滑りのみが除去されるので、結局前記薬剤が付着しない箇所には短期間で滑りが発生してしまうことがあるという問題も有していた。さらに、前記薬剤の効果が持続する期間は例えば２ヶ月程度等の所定の期間に限定されるので、所定の期間経過後は前記薬剤を買い換えなければならず経済的負担にもなり、さらにまた前記薬剤を排水路に流すことは環境上好ましくなかった。
【００１０】
本発明はこれらの点に鑑みてなされたものであり、薬剤を利用することなく、排水路および前記排水路の内部に装着されるストレーナの滑りの発生を長期間防止し、前記排水路および前記ストレーナの清掃の負担を減らし手間を省略することができる排水路用蓋を提供することを目的とする。
【００１１】
【課題を解決するための手段】
前記目的を達成するため、請求項１に記載の発明に係る排水路用蓋の特徴は、内部に有底筒状とされ開口部の外周に周縁部を介して鍔部が形成されたストレーナが装着される排水路の開口部に、着脱可能に取り付けられる排水路用蓋において、前記排水路の前記開口部に取り付けられている状態で、前記ストレーナの開口部の周縁部に対向する部分に、前記ストレーナの前記開口部の周縁部に沿うように複数の通水孔を形成した点にある。
【００１２】
この請求項１に記載の発明の構成によれば、食材や食器、または手等を洗うために利用した水をそのまま流し台に流すことにより、前記各通水孔を通過した水を、ストレーナの開口部の周縁部を伝ってその内周面に接触させながら排水路に流すことができる。
【００１３】
また、請求項２に記載の発明に係る排水路用蓋の特徴は、内部に有底筒状とされ開口部の外周に周縁部を介して鍔部が形成されたストレーナが装着される排水路の開口部に、着脱可能に取り付けられる排水路用蓋において、前記排水路の前記開口部に取り付けられている状態で、前記鍔部に相当する部分に、複数の通水孔を形成した点にある。
【００１４】
この請求項２に記載の発明の構成によれば、前記各通水孔を通過した水を、ストレーナの鍔部を伝って、ストレーナ内周面および外周面、さらには排水路の内周面に接触させながら排水路に流すことができる。
【００１５】
また、請求項３に記載の発明に係る排水路用蓋の特徴は、内部に有底筒状とされ開口部の外周に周縁部を介して鍔部が形成されたストレーナが装着される排水路の開口部に、着脱可能に取り付けられる排水路用蓋において、前記排水路の前記開口部に取り付けられている状態で、前記ストレーナの前記開口部の周縁部に対向する部分に、前記ストレーナの前記開口部の周縁部に沿うように複数の第１通水孔を周方向に並列して形成し、前記各第１通水孔の形成位置よりも外周縁部分であって前記鍔部の配置位置に相当する部分に、周方向における前記各第１通水孔の形成位置の間に位置するように複数の第２通水孔を周方向に並列して形成した点にある。
【００１６】
この請求項３に記載の発明の構成によれば、前記各第１通水孔および前記各第２通水孔を通過した水を、ストレーナの内周面の全体に接触させながら流すことができる。
【００１７】
さらに、請求項４に記載の発明に係る排水路用蓋の特徴は、排水路の開口部に着脱可能に取り付けられる排水路用蓋において、前記開口部に取り付けられている状態で、前記開口部の開口縁に相当する部分に、前記開口部の開口縁に沿う形状の複数の通水孔を形成した点にある。
【００１８】
この請求項４に記載の発明の構成によれば、前記各通水孔を通過した水を、排水路の開口部の開口縁を伝ってその内周面に接触させながら排水路の内部に流すことができる。
【００１９】
【発明の実施の形態】
以下、本発明に係る排水路用蓋の実施形態を図１および図２を参照して説明する。ここで、本実施形態においては、台所の流し台の底面に形成された排水路に取り付けられる排水路用蓋を用いて説明する。
【００２０】
図１は、本実施形態に係る排水路用蓋を排水路に取り付けた場合を示す平面図であり、図２は、図１の排水路用蓋を排水路に取り付けた場合を示すＡ−Ａにおける断面図である。
【００２１】
図１および図２に示すように、前記排水路用蓋１が取り付けられる排水路２における円形状の開口部３の下方には、前記開口部３の開口縁の径が小さくなる水平方向に突出する第１段部４が形成されており、また、前記第１段部４の下方には、前記第１段部４の開口縁の径が小さくなる水平方向に突出する第２段部５が形成されている。そして、前記第２段部５には、円筒形の有底籠状とされ外周壁の大部分が網目状に形成されたストレーナ７における開口部８の周縁に形成された鍔部９が係止され、これにより、前記ストレーナ７は、前記排水路２の内部に着脱可能に装着されるようになっている。
【００２２】
前記排水路用蓋１は、弾性力を有するゴム等からなる円形状の基体１１を有し、前記基体１１の中心部には、円形状の孔１２が形成されている。前記基体１１には、前記孔１２から前記基体１１の周縁部に向けて放射状の切れ込み１３が形成されており、前記各切れ込み１３の端部は前記基体１１の周縁部分に形成された楕円形状の孔１４にそれぞれ接続されている。そして、前記基体１１には、前記切れ込み１３により複数（本実施形態においては１２枚）の舌片１５が周縁部分において相互に連結されて形成されている。
【００２３】
また、前記排水路用蓋１は、前記基体１１の周縁部から図２における上方に突出する内縁部１７と、前記内縁部１７の周縁部から前記基体１１の径が広がる水平方向に延設される平坦部１８と、前記平坦部１８の周端縁部から下方に延設される外縁部１９とからなる鍔部２０を有している。
【００２４】
前記鍔部２０には、前記内縁部１７および前記平坦部１８の内周縁部分であって前記ストレーナ７における開口部８の周縁部に相当する位置に、前記ストレーナ７における開口部８の周縁部に沿うように複数の第１通水孔２２が周方向に並列して形成されている。これら各第１通水孔２２の前記平坦部１８における内周縁から外周縁方向への幅寸法は、流し台２４に水が流されたとき、前記水が前記各第１通水孔２２から流れ込んでその勢いを失わずに前記ストレーナ７における開口部３の周縁部から内周面を伝って流れ落ちる範囲内において短く形成されることが好ましい。これにより、ストレーナ７の内部をなるべく見えなくすることができる。
【００２５】
また、前記鍔部２０には、前記平坦部１８の外周縁部分であって前記ストレーナ７の鍔部９に相当する位置に、複数の第２通水孔２６が形成されている。これら各第２通水孔２６は、本実施形態において前記平坦部１８の外周縁部分であって周方向において隣位の前記第１通水孔２２，２２の形成位置の間に位置するように形成されている。
【００２６】
なお、本実施形態において、前記各第１通水孔２２は、前記鍔部２０における前記内縁部１７から前記平坦部１８の内周縁部分にかけて形成されているが、これに限定されず、前記排水路用蓋１のうち前記ストレーナ７における開口部８の周縁部に相当する位置であれば、例えば鍔部２０における平坦部１８の外周縁部分や基体１１の外周縁部分であってもよい。また、前記各第２通水孔２６についても、前記排水路用蓋１のうち前記ストレーナ７の鍔部９に相当する位置に形成すればよい。
【００２７】
そして、前記排水路用蓋１は、前記排水路２の開口部３に嵌合し、前記鍔部２０が前記第１段部４に係止されて、前記排水路２に着脱可能に取り付けられるようになっている。
【００２８】
次に、本実施形態の作用について説明する。
【００２９】
まず、台所の流し台２４に水を流すと、この水は前記流し台２４の底面から前記排水路用蓋１の鍔部２０の外周縁部に到達する。
【００３０】
そして、前記各第１通水孔２２はストレーナ７の開口部８の周縁部に沿うように形成されているので、前記水のうち各第１通水孔２２に到達した水は、前記各第１通水孔２２を通過した後、前記ストレーナ７における開口部８の周縁部を介して前記ストレーナ７の内周面に接触しながら排水路２の下方へと流れ落ちていく。
【００３１】
また、前記各第２通水孔２６は前記ストレーナ７における鍔部９に相当する位置に形成されているので、前記水のうち各第２通水孔２６に到達した水は、前記各第２通水孔２６を通過し、前記ストレーナ７の鍔部９を介して前記ストレーナ７のうち前記各第１通水孔２２を通過した水が接触していない部分を含む内周面に接触しながら排水路２の下方へと流れ落ちていく。
【００３２】
一方、前記各第２通水孔２６を通過した水は、前記ストレーナ７の鍔部９を介してこの鍔部９と前記第２段部５との間から前記ストレーナ７の外側に流れ出し、前記ストレーナ７の外周面および排水路２の内周面に接触しながら排水路２の下方へと流れ落ちていく。
【００３３】
さらに、前記各第１通水孔２２および前記各第２通水孔２６を通過しなかった水は、前記各切れ込み１３を介して前記孔１２から前記ストレーナ７の底壁上に落下し、底壁に形成された小孔を介して排水路２の下方へと流れ落ちていく。
【００３４】
本実施形態によれば、前記各第１通水孔２２を通過した水を、前記ストレーナ７の開口部８の周縁部を伝って内周面に接触させながら排水路２に流すことができるので、前記ストレーナ７の内周面に付着した細菌の栄養源を前記内周面から流すことができる。また、前記各第２通水孔２６を通過した水についても、ストレーナ７の鍔部９を伝って、ストレーナ７の内周面および外周面、さらには排水路２の内周面に接触させながら排水路２に流すことができるので、前記ストレーナ７の内周面等に付着した細菌の栄養源を前記内周面等から流すことができる。
【００３５】
したがって、流し台２４の水を利用する度にその水を前記ストレーナ７の内周面および外周面、ならびに排水路２の内周面に接触させながら流すことができるので、この流水を利用することによって前記ストレーナ７における滑りの発生を長期間防止することができ、これにより、排水路２およびストレーナ７および排水路２の清掃の負担を減らし、手間を省略することができる。
【００３６】
また、前記各第１通水孔２２および前記各第２通水孔２６は周方向にずらして形成されているので、前記各第１通水孔２２および前記各第２通水孔２６を通過した水を、ストレーナ７の内周面の全体に接触させながら流すことができる。このため、ストレーナ７の全体において滑りの発生を長期間防止することができる。
【００３７】
さらに、薬剤を利用せず食器等を洗うために一度利用した水を再利用することができるので、所定期間毎に薬剤を買い換える手間を省略することができ、経済的負担にもならず、また、ストレーナ７や排水路２の劣化等の問題も生じず、環境上好ましい。
【００３８】
さらにまた、例えば食器等を洗うために一度利用した水を溜める等して前記排水路２に勢いよく前記水を流すことにより、一層前記ストレーナ７および前記排水路２における滑りの発生を長期間防止することができる。
【００３９】
なお、各第１通水孔２２および各第２通水孔２６の大きさおよび数は本実施形態に限定されるものではなく、また、各第２通水孔２６の形成位置は、鍔部２０の外周縁部分における隣位の前記第１通水孔２２，２２の間に相当する位置に限定されない。例えば、図３に示すように、鍔部２０に４つの第１通水孔２２を形成し、基体１１が鍔部２０を支持可能な範囲で前記各第１通水孔２２の間の長さを短く形成してもよいし、各第２通水孔２６の数を増加させてもよい。これにより、一層広い範囲において前記各第１通水孔２２を通過した水をストレーナ７の内周面に接触させることができる。また、前記各第２通水孔２６の数を増加させることにより、多くの水を各第２通水孔２６から通過させることができる。
【００４０】
また、本実施形態においては、各第１通水孔２２および各第２通水孔２６の２種類の通水孔が形成されているが、どちらか１種類の通水孔が形成されていればよい。
【００４１】
さらに、本実施形態においては、台所の流し台２４の排水路２に取り付けられるいわゆる菊割状の排水路用蓋１を用いて説明したが、前記排水路用蓋１は本実施形態の形状に限定される必要はない。例えば、菊割状の排水路用蓋１に限定されず、種々の形状の排水路用蓋に利用することができる。
【００４２】
次に、本発明に係る排水路用蓋の第２の実施形態について、図４および図５を参照して説明する。ここで、本実施形態においては、風呂の洗い場の床に形成された排水路に取り付けられる排水路用蓋を用いて説明する。
【００４３】
図４は、本実施形態に係る第２排水路用蓋を排水路に取り付けた場合を示す平面図であり、図５は、図４の第２排水路用蓋、および第１排水路用蓋を排水路に取り付けた場合を示すＢ−Ｂにおける断面図である。
【００４４】
図４および図５に示すように、本実施形態における第１排水路用蓋３１および第２排水路用蓋３２が取り付けられる排水路３３における四角形状の開口部３４の下方には、開口縁３５が四角形状となるような第１段差部３６が形成されており、前記第１段差部３６の下方には、開口縁３７が円形状となるような第２段差部３８が形成されている。そして、前記第１段差部３６には、平板状であって複数の孔３９が形成されている第１排水路用蓋３１の外周縁部分が係止され、これにより、前記第１排水路用蓋３１は、前記排水路３３に着脱可能に装着されるようになっている。
【００４５】
前記第２排水路用蓋３２は、円形状の基体４１を有し、前記基体４１には、平面形状が円形状に形成された網目状の開口４２が形成されている。
【００４６】
また、前記第２排水路用蓋３２は、前記基体４１の周縁部から図５における上方に突出する内縁部４３と、前記内縁部４３の周縁部から前記基体４１の径が広がる水平方向に延設される鍔部４４とを有しており、前記鍔部４４は、その外周縁の平面形状が四角形状となるように形成されている。そして、前記第２排水路用蓋３２は、前記鍔部４４の外周縁部分が前記第２段差部３８に係止され、これにより前記排水路３３に着脱可能に装着されるようになっている。
【００４７】
前記第２排水路用蓋３２には、前記基体４１の外周縁部分から前記内縁部４３を介して前記鍔部４４の内周縁部分に、前記第２段差部３８の開口縁３７に沿うような網目状の複数の通水孔４６が周方向に並列して形成されている。
【００４８】
そして、この第２排水路用蓋３２は、網目状の前記開口４２および前記各通水孔４６により前記排水路３３におけるストレーナとしての機能を果たすようになっている。
【００４９】
このため、前記各通水孔４６の網目は、水と一緒に流れてきた髪の毛等のゴミが排水路３３の下方に流れるのを阻止すること、および流れてきた水がなるべく勢いを失わずに各通水孔４６を通過して排水路３３の下方に流れ落ちることを考慮した大きさの網目に形成されている。
【００５０】
なお、前記第２排水路用蓋３２における前記各通水孔４６の形成位置は、前記第２段差部３８の開口縁３７に相当する位置であれば、本第２実施形態における形成位置に限定されない。
【００５１】
次に、本第２実施形態の作用について説明する。
【００５２】
まず、風呂場の洗い場に水を流すと、この水は、前記洗い場の床から前記第１排水路用蓋３１の外周縁部に到達し、各孔３９を通過して、前記第２排水路用蓋３２の方向へ流れ落ちていく。
【００５３】
続いて、前記各通水孔４６は第２段差部３８の開口縁３７に沿うように形成されているので、前記第２排水路用蓋３２の方向に流れ落ちた水のうち前記各通水孔４６に到達した水は、前記各通水孔４６の網目を通過した後、前記開口縁３７を介して前記排水路３３の内周面に接触しながら下方へと流れ落ちていく。
【００５４】
一方、前記各通水孔４６を通過しなかった水は、前記開口４２の網目を通過して排水路３３の下方へと流れ落ちていく。
【００５５】
また、水と一緒に流れてきたゴミは、網目状の前記各通水孔４６および前記開口４２によって排水路３３の下方に流れてしまうことを阻止することができる。
【００５６】
本実施形態によれば、前記各通水孔４６を通過した水を前記排水路３３における前記第２段差部３８の開口縁３７を伝って、内周面に接触させながら排水路３３に流すことができるので、前記排水路３３の内周面に付着した細菌の栄養源を前記内周面から流すことができる。
【００５７】
したがって、洗い場の水を利用する度にその水を前記排水路３３の内周面に接触させながら流すことができるので、この流水を利用することによって前記排水路３３における滑りの発生を長期間防止することができ、これにより、排水路３３の清掃の負担を減らして手間を省略することができる。
【００５８】
なお、本発明は前記実施形態に限定されるものではなく、必要に応じて種々変更することが可能である。
【００５９】
また、本発明に係る排水路用蓋は、台所の流し台や風呂の洗い場だけでなく、他の場所の排水路に用いられるものであってもよい。
【００６０】
【発明の効果】
以上述べたように、請求項１に記載の排水路用蓋によれば、排水路の水を利用する度にその水をストレーナの内周面に接触させながら流すことができるので、この流水を利用して前記ストレーナにおける滑りの発生を長期間防止することができ、これにより、ストレーナの清掃の負担を減らし、手間を省略することができる。
【００６１】
また、薬剤を利用せず食器等を洗うために一度利用した水を再利用することができるので、所定期間毎に薬剤を買い換える手間を省略することができ、経済的負担にもならず、また、ストレーナや排水路の劣化等の問題も生じず、環境上好ましい。
【００６２】
さらに、請求項２に記載の排水路用蓋によれば、水をストレーナの内周面、外周面、および排水路の内周面に接触させながら流れるので、この流水を利用して前記ストレーナおよび排水路の滑りの発生を長期間防止することができ、これにより、ストレーナの清掃の負担を減らし、手間を省略することができる。
【００６３】
また、請求項３に記載の排水路用蓋によれば、各第１通水孔および各第２通水孔は周方向にずらして形成されているので、前記各第１通水孔および前記各第２通水孔を通過した水を、ストレーナの内周面の全体に接触させながら流すことができる。このため、ストレーナの全体において滑りの発生を長期間防止することができる。
【００６４】
さらに、請求項４に記載の排水路用蓋によれば、排水路に流された水を利用する度にその水を排水路の内周面に接触させながら流すことができるので、この流水を利用して前記排水路における滑りの発生を長期間防止することができ、これにより、排水路の清掃の負担を減らし手間を省略することができる。
【図面の簡単な説明】
【図１】本発明に係る排水路用蓋を排水路に取り付けた場合の一実施形態を示す平面図
【図２】図１の排水路用蓋を排水路に取り付けた場合のＡ−Ａにおける断面図
【図３】本発明に係る他の排水路用蓋を示す平面図
【図４】本発明に係る他の排水路用蓋を排水路に取り付けた場合の一実施形態を示す平面図
【図５】図４の排水路用蓋を排水路に取り付けた場合のＢ−Ｂにおける断面図
【符号の説明】
１  排水路用蓋
２  排水路
３  開口部
７  ストレーナ
８  開口部
９  鍔部
２２  第１通水孔
２６  第２通水孔
３１  第１排水路用蓋
３２  第２排水路用蓋
３３  排水路
３４  開口部
３７  開口縁
４４  鍔部
４６  通水孔
【図１】
2004360311.tif 000003
【図２】
2004360311.tif 000004
【図３】
2004360311.tif 000005
【図４】
2004360311.tif 000006
【図５】
2004360311.tif 000007